(57)【要約】【課題】利用者の位置情報によらずに、乗り場の近くにいる乗り物の利用者に、乗り物に関する情報を通知することを容易にする通信装置を提供する。【解決手段】通信装置は、乗り物の乗り場に対応する所定の範囲内で近距離無線通信を行う１つ以上の近距離無線通信手段を用いて、前記所定の範囲内にある前記乗り物の利用者の情報端末を検知する検知手段と、前記検知された前記乗り物の利用者の情報端末に前記乗り物に関する情報を通知する通知手段と、を有する。【選択図】図７
2016143222.tif 000002
【特許請求の範囲】
【請求項１】
乗り物の乗り場に対応する所定の範囲内で近距離無線通信を行う１つ以上の近距離無線通信手段を用いて、前記所定の範囲内にある前記乗り物の利用者の情報端末を検知する検知手段と、
前記検知された前記乗り物の利用者の情報端末に前記乗り物に関する情報を通知する通知手段と、
を有する通信装置。
【請求項２】
前記検知手段は、
前記１つ以上の近距離無線通信手段を用いて取得した前記所定の範囲内にある情報端末の識別情報と、予め登録された利用者の登録情報とに基づいて、前記乗り物の利用者の情報端末を検知する請求項１に記載の通信装置。
【請求項３】
前記登録情報は、
１人以上の利用者の情報端末の識別情報と、前記１人以上の利用者が利用する乗り物の情報とを含む請求項２に記載の通信装置。
【請求項４】
前記乗り物に関する情報は、
前記検知された情報端末の利用者が、前記乗り物に乗ることができるかどうかを判断するための情報を含む請求項１乃至３のいずれか一項に記載の通信装置。
【請求項５】
前記乗り物の運行情報を管理する管理サーバ、又は前記乗り物から前記乗り物の運行情報を取得する運行情報取得手段を有する請求項１乃至４のいずれか一項に記載の通信装置。
【請求項６】
前記所定の範囲、又は前記乗り物に関する情報を通知する範囲を変更する変更手段を有し、
前記変更手段は、
前記乗り物の運行情報に応じて、前記所定の範囲又は前記乗り物に関する情報を通知する範囲を変更する請求項１乃至５のいずれか一項に記載の通信装置。
【請求項７】
請求項１乃至６のいずれか一項に記載の通信装置と、
前記通信装置と通信可能な情報端末を、
前記通信装置から通知される乗り物に関する情報を前記情報端末の利用者に通知する受信情報通知手段、及び
前記情報端末の利用者が利用する乗り物の情報を含む登録情報を登録するための登録制御手段、
として機能させるためのプログラムと、
を含む情報処理システム。
【請求項８】
乗り物の乗り場に対応する所定の範囲内で近距離無線通信を行う近距離無線通信手段を有する第１の通信装置と、
前記第１の通信装置と通信可能な第２の通信装置であって、前記所定の範囲内で前記近距離無線通信を行う１つ以上の前記第２の通信装置と、
を含む情報処理システムであって、
前記第１の通信装置は、
前記近距離無線通信手段及び前記１つ以上の前記第２の通信装置を用いて、前記所定の範囲内にある前記乗り物の利用者の情報端末を検知する検知手段と、
前記検知された情報端末に前記乗り物に関する情報を通知する通知手段と、
を有することを特徴とする情報処理システム。
【請求項９】
前記第２の通信装置は、
前記近距離無線通信を用いて取得した情報端末の識別情報を前記第１の通信装置に通知する識別情報通知手段を有することを特徴とする請求項８に記載の情報処理システム。
【請求項１０】
前記情報処理システムは、前記乗り物内で前記近距離無線通信を行う第３の通信装置を含み、
前記第３の通信装置は、
前記乗り物内の近距離無線通信で取得した情報端末の識別情報を前記第１の通信装置に通知する識別情報通知手段を有し、
前記第１の通信装置は、
前記第３の通信装置から通知された情報端末の識別情報に基づいて、前記乗り物の利用者が前記乗り物に乗ったことを判断する請求項８又は９に記載の情報処理システム。
【発明の詳細な説明】
【技術分野】
【０００１】
本発明は、通信装置、及び情報処理システムに関する。
【背景技術】
【０００２】
バスの利用者に対して、バスの運行情報や、バスの乗車情報等を通知するバス運行管理システムが知られている。例えば、バスの乗車希望者から送信された乗車希望者の位置情報と、バスの現在位置とに基づいて、乗車希望者の乗車を許諾するか、或いは拒否するかを判定し、応答メッセージを乗車希望者に送信するバス運行システムが知られている（例えば、特許文献１参照）。
【発明の概要】
【発明が解決しようとする課題】
【０００３】
バスの発車時刻は、例えば、電車等の交通機関と比べて道路の混雑情報等の影響を受け易く、バスは時刻表に記載された時刻とは異なる時刻に発車する場合も多い。従って、バスの利用者は、停留所等に停まっているバスに対して、急げば乗れるのか、急がなくても乗れるのか、或いは、急いでも乗れないのか等の乗車可否を判断することは困難である。この問題に対し、特許文献１に開示された技術では、バスの利用者から送信された利用者の位置情報と、バスの現在の位置とに基づいて、バスから利用者に対してバスの乗車可否を示す情報の送信を行う。
【０００４】
しかし、特許文献１に開示された技術では、例えば、屋内や地下等にあるバスの乗り場等、バスやバスの利用者の位置情報を正しく取得することができない場所では、バスの利用者に対してバスの乗車可否を示す情報を送信することはできない。また、バスの乗り場が屋外に設けられている場合であっても、例えば、利用者が情報端末の電源を入れた後や、地下鉄やビル等から出てきた後等は、位置情報の取得に時間を要する場合があり、位置情報の送信がバスの発車に間に合わないケースも考えられる。
【０００５】
このように、従来の技術では、例えば、バス等の乗り物の利用者の位置情報を取得することが困難な状況において、乗り場の近くにいる乗り物の利用者に、例えば、乗車可否等の乗り物に関する情報を通知することには困難を伴っていた。
【０００６】
本発明の実施の形態は、上記問題点に鑑みてなされたものであって、利用者の位置情報によらずに、乗り場の近くにいる乗り物の利用者に、乗り物に関する情報を通知することを容易にする通信装置を提供することを目的とする。
【課題を解決するための手段】
【０００７】
上記課題を解決するため、本発明の一実施形態に係る通信装置は、乗り物の乗り場に対応する所定の範囲内で近距離無線通信を行う１つ以上の近距離無線通信手段を用いて、前記所定の範囲内にある前記乗り物の利用者の情報端末を検知する検知手段と、前記検知された前記乗り物の利用者の情報端末に前記乗り物に関する情報を通知する通知手段と、を有する。
【発明の効果】
【０００８】
本発明の実施の形態によれば、利用者の位置情報によらずに、乗り物や、乗り場の近くにいる乗り物の利用者を検知し、利用者に乗り物に関する情報を通知することを容易にする通信装置を提供することができる。
【図面の簡単な説明】
【０００９】
【図１】一実施形態に係る情報処理システムの概要を示す図である。
【図２】一実施形態に係る第１の通信装置のハードウェア構成例を示す図である。
【図３】一実施形態に係る第２の通信装置のハードウェア構成例を示す図である。
【図４】一実施形態に係る第３の通信装置のハードウェア構成例を示す図である。
【図５】一実施形態に係る情報端末のハードウェア構成例を示す図である。
【図６】一実施形態に係る管理サーバのハードウェア構成例を示す図である。
【図７】一実施形態に係る情報処理システムの機能構成図である。
【図８】第１の実施形態に係る第１の通信装置の処理の流れを示すフローチャートである。
【図９】第１の実施形態に係る登録情報の例を示す図である。
【図１０】第１の実施形態に係る情報端末に通知される情報の例を示す図である。
【図１１】第２の実施形態に係る第１の通信装置の処理の流れを示すフローチャートである。
【図１２】第２の実施形態に係る情報端末に通知される情報の例を示す図である。
【図１３】第３の実施形態に係る情報処理システムの処理の例について説明するための図である。
【図１４】第３の実施形態に係る利用者情報の例を示す図である。
【図１５】第４の実施形態に係る第１の通信装置の処理の流れを示すフローチャートである。
【図１６】第４の実施形態に係る情報端末に通知される情報の例を示す図である。
【図１７】第５の実施形態に係る情報処理システムの構成例を示す図である。
【図１８】第５の実施形態に係る通知エリアの変更例を示す図である。
【発明を実施するための形態】
【００１０】
以下に、本発明の実施の形態について、添付の図面を参照して説明する。
【００１１】
＜システムの構成＞
初めに一実施形態に係る情報処理システム１００の概要について説明する。
【００１２】
図１は、一実施形態に係る情報処理システムの概要を示す図である。情報処理システム１００は、乗り物の乗り場の近くの所定の範囲内にいる利用者に、乗り物の発車時刻、運行状況、乗車可否等の乗り物に関する情報を提供するシステムである。
【００１３】
情報処理システム１００は、例えば、停留所１０７等に設けられた第１の通信装置１０１、停留所の周囲の所定の範囲内に設けられた複数の第２の通信装置１０２−１〜１０２−５、及びバス１０８に設けられた第３の通信装置１０３等を有する。また、情報処理システム１００は、バス１０８の利用者１０９の情報端末１０４、及び、例えば、インターネットやＬＡＮ等のネットワーク１０６に接続された管理サーバ１０５等を有する。尚、図１における複数の第２の通信装置１０２−１〜１０２−５の数は一例である。また、以下の説明の中で、複数の第２の通信装置１０２−１〜１０２−５のうちの任意の第２の通信装置を示す場合「第２の通信装置１０２」を用いる。
【００１４】
第１の通信装置１０１及び第２の通信装置１０２は、近距離無線通信機能を有し、バス１０８の停留所１０７に対応する所定の範囲内で近距離無線通信による無線ＰＡＮ（Personal Area Network）エリア１１３を提供する。尚、バス１０８の停留所１０７に対応する所定の範囲は、例えば、停留所１０７まで、徒歩で所定の時間内（例えば５分以内）に到達できる範囲、又は停留所１０７から所定の距離以内の範囲等を想定している。
【００１５】
無線ＰＡＮエリア１１３で用いられる近距離無線通信は、例えば、Ｂｌｕｅｔｏｏｔｈ（登録商標）や、Ｂｌｕｅｔｏｏｔｈ Ｌｏｗ Ｅｎｅｒｇｙ（以下、ＢＬＥと呼ぶ）等、通信距離が例えば、１０ｍ〜数１０ｍ程度の近距離無線通信方式を想定している。
【００１６】
但し、上記の通信距離及び無線通信方式はあくまで一例である。無線ＰＡＮエリア１１３で用いられる近距離無線通信は、第１の通信装置１０１と、１つ以上の第２の通信装置１０２とにより、停留所１０７に対応する所定の範囲内で無線ＰＡＮエリア１１３を提供可能なものであれば良い。図１の例では、第１の通信装置１０１の近距離無線通信の通信範囲１１１、及び第２の通信装置１０２−１〜１０２−５の近距離無線通信の通信範囲１１２−１〜１１２−５により、無線ＰＡＮエリア１１３を構成している。尚、別の一例として、情報処理システム１００は、第２の通信装置１０２を用いずに、通信装置１０１の近距離無線通信の通信範囲１１１により、無線ＰＡＮエリア１１３を構成するもの等であっても良い。
【００１７】
第１の通信装置１０１は、例えば、無線／有線ＬＡＮ、上記の近距離無線通信、又は専用の無線／有線通信等により、複数の第２の通信装置１０２と通信可能であるものとする。また、通信装置１０１は、例えば、ＬＴＥ（Long Term Evolution）等の公衆無線通信や、無線／有線ＬＡＮ等によりネットワーク１０６に接続し、ネットワーク１０６を介して管理サーバ１０５と通信可能であるものとする。さらに、通信装置１０１は、自装置の近距離無線通信の通信範囲１１１内に情報端末１０４が入ると、その情報端末１０４と、例えば、自動的に近距離無線通信を開始し、情報端末１０４の識別情報を取得可能であるものとする。
【００１８】
第２の通信装置１０２は、自装置の近距離無線の通信範囲内に情報端末１０４が入ると、その情報端末１０４と、例えば、自動的に近距離無線通信を開始し、情報端末１０４の識別情報を取得する。例えば、図１において、第２の通信装置１０２−５は、自装置の近距離無線通信の通信範囲１１２−５内にある情報端末１０４と自動的に近距離無線通信を開始し、情報端末１０４の識別情報を取得する。また、第２の通信装置１０２は、例えば、新たに近距離無線通信が可能となった情報端末１０４の識別情報を、第１の通信装置１０２に通知する。
【００１９】
第３の通信装置１０３は、バス１０８に設けられ、例えば、第１の通信装置１０１及び第２の通信装置１０２と同様の近距離無線通信を行う。第３の通信装置１０３は、近距離無線通信により、例えば、バス１０８の車内で無線ＰＡＮエリアを提供する。また、第３の通信装置は、例えば、ＬＴＥ等の公衆無線通信や、無線ＬＡＮ等によりネットワーク１０６に接続し、管理サーバ１０５、第１の通信装置１０１、情報端末１０４等と通信可能であるものとする。第３の通信装置１０２３、自装置の近距離無線の通信範囲内に情報端末１０４が入ると、その情報端末１０４と、例えば、自動的に近距離無線通信を開始し、情報端末１０４の識別情報を取得する。また、第３の通信装置１０２は、例えば、新たに近距離無線通信が可能となった情報端末１０４の識別情報を、近距離無線通信や、ネットワーク１０６を介して、第１の通信装置１０２に通知する。
【００２０】
情報端末１０４は、バス１０８の利用者１０９が所持する、例えば、スマートフォン、スマートウォッチ、タブレット端末等の情報処理装置である。或いは、情報端末１０４は、情報処理システム１００の専用端末等であっても良い。情報端末１０４は、第１の通信装置１０１、第２の通信装置１０２、及び第３の通信装置と同様の近距離無線通信機能を有し、無線ＰＡＮエリア１１３に入ると、例えば、自動的に近距離無線通信を開始する。また、情報端末１０４は、ＬＴＥ等の公衆無線通信や、無線ＬＡＮ等によりネットワーク１０６に接続し、ネットワーク１０６を介して、管理サーバ１０５、第１の通信装置１０１等と通信可能であるものとする。
【００２１】
管理サーバ１０５は、無線／有線ｌＡＮ、又は公衆無線通信等により、ネットワーク１０６に接続された情報処理装置であり、例えば、バス１０８の運行情報や、バス１０８の利用者１０９の登録情報等を管理する。尚、管理サーバ１０５が管理する登録情報には、例えば、利用者１０９の情報端末１０４の識別情報（以下、端末ＩＤと呼ぶ）や、予め登録された利用者１０９が利用するバス１０８や、停留所１０７等の乗り物の情報が含まれる。
【００２２】
上記構成において、バス１０８の利用者１０９及びその情報端末１０４が無線ＰＡＮエリア１１３に入ると、情報端末１０４は、無線ＰＡＮエリア１１３内の最寄りの通信装置、図１の例では第２の通信装置１０２−５と近距離無線通信を確立する。情報端末１０４と近距離無線通信を開始した通信装置、例えば、第２の通信装置１０２−５は、情報端末１０４の端末ＩＤを取得し、取得した端末ＩＤを第１の通信装置１０１に通知する。
【００２３】
第１の通信装置１０１は、無線ＰＡＮエリア１１３内で近距離無線通信を開始した情報端末１０４の端末ＩＤを取得し、取得した端末ＩＤを予め登録された登録情報と照合することにより、バス１０８の利用者１０９の情報端末１０４を検知する。
【００２４】
また、第１の通信装置１０１は、無線ＰＡＮエリア１１３内で、バス１０８の利用者１０９の情報端末１０４を検知すると、検知された情報端末１０４に、例えば、バス１０８への乗車可否や、発車までの時間等のバス１０８に関する情報を通知する。
【００２５】
このように、情報処理システム１００によれば、情報端末１０４の位置情報によらずに、バス１０８の停留所１０７の近くにいるバス１０８の利用者１０９の情報端末１０４を検知し、情報端末１０４にバス１０８に関する情報を容易に通知することができる。
【００２６】
尚、図１のシステム構成は一例であり、本発明の範囲を限定するものではない。例えば、バス１０８は、乗り物の一例である。本実施形態に係る乗り物は、例えば、電車、ロープウェー、ジェットコースター等の他の乗り物であっても良い。同様に、停留所１０７は、乗り物の乗り場の一例である。
【００２７】
＜ハードウェア構成＞
次に、第１の通信装置１０１、第２の通信装置１０２、第３の通信装置１０３、情報端末１０４、及び管理サーバ１０５のハードウェア構成について説明する。
【００２８】
（第１の通信装置のハードウェア構成）
図２は、一実施形態に係る第１の通信装置のハードウェア構成例を示す図である。第１の通信装置１０１は、例えば、ＣＰＵ（Central Processing Unit）２０１、ＲＡＭ（Random Access Memory）２０２、ＲＯＭ（Read Only Memory）２０３、ストレージ部２０４、機器間通信部２０５、近距離無線通信部２０６、通信部２０７、及びバス２０８等を有する。
【００２９】
ＣＰＵ２０１は、ＲＯＭ２０３や、ストレージ部２０４等に格納されたプログラムを実行することにより、第１の通信装置１０１の各機能を実現する演算装置である。ＲＡＭ２０２は、ＣＰＵ２０１のワークエリア等として用いられる揮発性のメモリである。ＲＯＭ２０３は、電源を切ってもプログラムやデータを保持することができる不揮発性のメモリである。ストレージ部２０４は、例えば、ＨＤＤ（Hard Disk Drive）や、ＳＳＤ（Solid State Drive）等の大容量記憶装置であり、ＯＳ（Operation System）、アプリケーションプログラム、及び各種データ等を記憶する。
【００３０】
機器間通信部２０５は、第１の通信装置１０１と共に無線ＰＡＮエリア１１３を形成する第２の通信装置１０２と通信を行うための通信インタフェースである。機器間通信部２０５による通信方式は、第１の通信装置１０１と、１つ以上の第２の通信装置１０２との間でデータ通信を行えるものであれば、任意の通信方式で良い。ここでは、仮に機器間通信部２０５が、有線ＬＡＮインタフェースであるものとして説明を行うが、本発明の範囲を限定するものではない。
【００３１】
近距離無線通信部２０６は、例えば、Ｂｌｕｅｔｏｏｔｈや、ＢＬＥ等の所定の近距離無線通信方式により、例えば、情報端末１０４等と近距離無線通信を行うための通信インタフェースである。
【００３２】
通信部２０７は、例えば、有線／無線ＬＡＮや、ＬＴＥ等の公衆無線通信網等により、第１の通信装置１０１をネットワーク１０６に接続するための通信インタフェースである。バス２０８は、上記各構成要素に接続され、アドレス信号、データ信号、及び各種制御信号等を伝送する。
【００３３】
尚、図２の構成は一例であり、本発明の範囲を限定するものではない。例えば、第１の通信装置１０１は、機器間通信部２０５に代えて、近距離無線通信部２０６を用いて、１つ以上の第２の通信装置１０２と通信を行うものであっても良い。或いは、第１の通信装置１０１は、機器間通信部２０５に代えて、通信部２０７による無線ＬＡＮ等により、１つ以上の第２の通信装置１０２と通信を行うものであっても良い。
【００３４】
（第２の通信装置のハードウェア構成）
第２の通信装置１０２は、第１の通信装置１０１共に無線ＰＡＮエリア１１３を形成する通信装置であり、ハードウェア構成は、例えば、第１の通信装置１０１と同様の構成であっても良い。また、第２の通信装置１０２は、第１の通信装置１０１よりも簡易化した構成とすることもできる。ここでは、第２の通信装置１０２の一例として、第１の通信装置１０１よりも簡易化したハードウェア構成について説明する。
【００３５】
図３は、一実施形態に係る第２の通信装置のハードウェア構成例を示す図である。第２の通信装置１０２は、例えば、ＣＰＵ３０１、ＲＡＭ３０２、フラッシュＲＯＭ３０３、機器間通信部３０４、近距離無線通信部３０５、及びバス３０６等を有する。
【００３６】
ＣＰＵ３０１は、フラッシュＲＯＭ３０３等に格納されたプログラムを実行することにより、第２の通信装置１０２の各機能を実現する演算装置である。ＲＡＭ３０２は、ＣＰＵ３０１のワークエリア等として用いられる揮発性のメモリである。フラッシュＲＯＭ３０３は、電源を切ってもプログラムやデータを保持することができる不揮発性のメモリである。
【００３７】
機器間通信部３０４は、第１の通信装置１０１と通信を行うための通信インタフェースである。第２の通信装置１０２は、機器間通信部３０４を用いて、第１の通信装置１０１の機器間通信部２０５と同様の通信方式により、第２の通信装置１０２とデータ通信を行うことができる。
【００３８】
近距離無線通信部３０５は、例えば、Ｂｌｕｅｔｏｏｔｈや、ＢＬＥ等の所定の近距離無線通信方式により、例えば、情報端末１０４等と近距離無線通信を行うための通信インタフェースである。バス３０６は、上記各構成要素に接続され、アドレス信号、データ信号、及び各種制御信号等を伝送する。
【００３９】
尚、図２の構成は一例であり、本発明の範囲を限定するものではない。例えば、第２の通信装置１０２は、機器間通信部３０４に代えて、近距離無線通信部３０５を用いて、第１の通信装置と通信を行うものであっても良い。また、第２の通信装置１０２は、第１の通信装置１０１の通信部２０７と同様の通信部を備えていても良い。
【００４０】
（第３の通信装置のハードウェア構成）
図３は、一実施形態に係る第２の通信装置のハードウェア構成例を示す図である。第３の通信装置１０３は、バス１０８等の車両内や、その周囲で無線ＰＡＮエリアを提供する。また、第２の通信装置１０３は、例えば、ＣＰＵ４０１、ＲＡＭ４０２、フラッシュＲＯＭ４０３、近距離無線通信部４０４、通信部４０５、表示入力部４０６、及びバス４０７等を有する。
【００４１】
ＣＰＵ４０１は、フラッシュＲＯＭ４０３等に格納されたプログラムを実行することにより、第２の通信装置１０２の各機能を実現する演算装置である。ＲＡＭ４０２は、ＣＰＵ４０１のワークエリア等として用いられる揮発性のメモリである。フラッシュＲＯＭ４０３は、電源を切ってもプログラムやデータを保持することができる不揮発性のメモリである。
【００４２】
近距離無線通信部４０４は、例えば、Ｂｌｕｅｔｏｏｔｈや、ＢＬＥ等の所定の近距離無線通信方式により、例えば、情報端末１０４等と近距離無線通信を行うための通信インタフェースである。
【００４３】
通信部４０５は、例えば、有線／無線ＬＡＮや、ＬＴＥ等の公衆無線通信網等により、第３の通信装置１０３をネットワーク１０６に接続するための通信インタフェースである。
【００４４】
表示入力部４０６は、第３の通信装置１０３に対する利用者（バス１０８の運転手等）の操作を受け付ける入力装置と、所定の情報を表示するための表示装置とを含む、例えば、タッチパネルディスプレイ等の表示入力装置である。尚、第３の通信装置１０３は、表示部と入力部を別々に有していても良いし、第３の通信装置１０３の外部に表示入力部４０６を有していても良い。
【００４５】
バス４０７は、上記各構成要素に接続され、アドレス信号、データ信号、及び各種制御信号等を伝送する。
【００４６】
（情報端末のハードウェア構成）
図５は、一実施形態に係る情報端末のハードウェア構成例を示す図である。情報端末１０４は、一般的なコンピュータの構成を有しており、例えば、ＣＰＵ５０１、ＲＡＭ５０２、ＲＯＭ５０３、ストレージ部５０４、通信部５０５、近距離無線通信部５０６、表示入力部５０７、マイク部５０８、スピーカ部５０９、バイブレータ部５１０、位置情報取得部５１１、及びバス５１２等を有する。
【００４７】
ＣＰＵ５０１は、ＲＯＭ５０３やストレージ部５０４等に格納されたプログラムやデータをＲＡＭ５０２上に読み出し、処理を実行することで、情報端末１０４の各機能を実現する演算装置である。ＲＡＭ５０２は、ＣＰＵ５０１のワークエリア等として用いられる揮発性のメモリである。ＲＯＭ５０３は、電源を切ってもプログラムやデータを保持することができる不揮発性のメモリである。ストレージ部５０４は、例えば、ＨＤＤ、ＳＳＤ、フラッシュＲＯＭ等のストレージ装置であり、ＯＳ、アプリケーションプログラム、及び各種データ等を記憶する。
【００４８】
通信部５０５は、例えば、ＬＴＥ等の移動通信網や、無線ＬＡＮ等の通信方式に対応した通信インタフェースである。情報端末１０４は、通信部５０５を介して、ネットワーク１０６に接続することができる。
【００４９】
近距離無線通信部５０６は、例えば、Ｂｌｕｅｔｏｏｔｈや、ＢＬＥ等の所定の近距離無線通信方式により、第１の通信装置１０１、第２の通信装置１０２、及び第３の通信装置１０３等と近距離無線通信を行うための通信インタフェースである。
【００５０】
表示入力部５０７は、例えば、タッチパネルディスプレイ等の表示入力装置であり、情報端末１０４で実行されるプログラム等による表示画面を表示すると共に、利用者１０９による入力操作を受け付ける。尚、表示入力部５０７は、表示部と、入力部とに別々に設けられていても良い。
【００５１】
マイク部５０８は、情報端末１０４の周囲の音や、利用者１０９の音声等を音声信号に変換する。スピーカ部５０９は、音声信号を音声に変換して出力する。バイブレータ部５１０は、振動により、情報端末１０４の利用者１０９に通知を行う。位置情報取得部５１１は、情報端末１０４の位置情報を取得する。
【００５２】
バス５１２は、上記各構成要素に接続され、アドレス信号、データ信号、及び各種制御信号等を伝送する。
【００５３】
尚、情報端末１０４は、通信部５０５を介してダウンロードしたプログラムを、情報端末１０４にインストールすることにより、所定のプログラムを実行することができる。例えば、情報端末１０４は、情報処理システム１００に対応したアプリケーションプログラム（以下、アプリと呼ぶ）を、ネットワーク１０６等を介してダウンロードしてインストールし、実行することができる。
【００５４】
（サーバ装置のハードウェア構成）
図６は、一実施形態に係る管理サーバのハードウェア構成例を示す図である。管理サーバ１０５は、一般的なコンピュータの構成を有しており、例えば、ＣＰＵ６０１、ＲＡＭ６０２、ＲＯＭ６０３、ストレージ部６０４、外部Ｉ／Ｆ部６０５、入力部６０６、表示部６０７、通信部６０８、バス６０９等を有する。
【００５５】
ＣＰＵ６０１は、ＲＯＭ６０３やストレージ部６０４等に格納されたプログラムやデータをＲＡＭ６０２上に読み出し、処理を実行することで、管理サーバ１０５の各機能を実現する演算装置である。ＲＡＭ６０２は、ＣＰＵ６０１のワークエリア等として用いられる揮発性のメモリである。ＲＯＭ６０３は、電源を切ってもプログラムやデータを保持することができる不揮発性のメモリである。
【００５６】
ストレージ部６０４は、例えば、ＨＤＤや、ＳＳＤ等の大容量記憶装置であり、ＯＳ、アプリケーションプログラム、及び各種データ等を記憶する。
【００５７】
外部Ｉ／Ｆ６０５は、外部装置とのインタフェースである。外部装置には、例えば、記録媒体や、他の電子機器等が含まれる。管理サーバ１０５は、外部Ｉ／Ｆ６０５を介して、記録媒体の読取り及び／又は書き込みを行うことができる。また、管理サーバ１０５は、記録媒体に所定のプログラムを格納し、この記録媒体に格納されたプログラムを外部Ｉ／Ｆ６０５を介して、管理サーバ１０５にインストールすることにより、所定のプログラムが実行可能となる。
【００５８】
入力部６０６は、マウス等のポインティングデバイスや、キーボード等を含み、管理サーバ１０５に操作信号等を入力するのに用いられる。表示部６０７はディスプレイ等を含み、例えば、管理サーバ１０５による処理結果等を表示する。
【００５９】
通信部６０８は、管理サーバ１０５をネットワーク１０６に接続するための、例えば、有線／無線ＬＡＮ等の通信インタフェースである。管理サーバ１０５は、通信部６０８を用いて、第１の通信装置１０１、第２の通信装置１０２、及び第３の通信装置１０３等とネットワーク１０６を介したデータ通信が可能である。バス６０９は、上記各構成要素に接続され、アドレス信号、データ信号、及び各種制御信号等を伝送する。
【００６０】
尚、図６の構成はあくまで一例である。例えば、管理サーバ１０５は、入力部６０６、表示部６０７等を外部に有していても良い。
【００６１】
＜機能構成＞
次に、情報処理システム１００の機能構成について説明する。
【００６２】
図７は、一実施形態に係る情報処理システムの機能構成図である。情報処理システム１００は、停留所１０７に設けられた第１の通信装置１０１、第１の通信装置１０１と共に無線ＰＡＮエリア１１３を提供する第２の通信装置、バス１０８に設けられた第３の通信装置１０３、及び利用者１０９の情報端末１０４等を含む。さらに、情報処理システム１００は、ネットワーク１０６を介して、第１の通信装置１０１、第３の通信装置１０３、及び情報端末１０４等と通信可能な管理サーバ１０５を有する。尚、管理サーバ１０５の機能は、例えば、第１の通信装置１０１等に含まれていても良い。
【００６３】
（第１の通信装置の機能構成）
第１の通信装置１０１は、通信手段７０１、近距離無線通信手段７０２、利用者検知手段７０３、通知手段７０４、機器間通信手段７０５、運行情報取得手段７０６、登録情報取得手段７０７、記憶手段７０８、及び変更手段７０９等を有する。
【００６４】
通信手段７０１は、第１の通信装置１０１をネットワーク１０６に接続し、第３の通信装置１０３、情報端末１０４、管理サーバ１０５等とのデータ通信を行うための手段である。通信手段７０１は、例えば、図２の通信部２０７等によって実現される。
【００６５】
近距離無線通信手段７０２は、バス（乗り物）１０８の停留所（乗り場）１０７に対応する無線ＰＡＮエリア（所定の範囲）１１３内で、例えば、ＢＬＥ通信等の近距離無線通信を行うための手段である。近距離無線通信手段７０２は、例えば、図２の近距離無線通信部２０６等によって実現される。
【００６６】
利用者検知手段７０３は、近距離無線通信手段７０２、及び第２の通信装置１０２等を用いて、無線ＰＡＮエリア１１３内にあるバス１０８の利用者１０９の情報端末１０４を検知する。尚、近距離無線通信手段７０２、及び第２の通信装置１０２は、バス（乗り物）１０８の停留場（乗り場）１０７に対応する無線ＰＡＮエリア（所定の範囲）１１３内で近距離無線通信を行う１つ以上の近距離無線通信手段の一例である。
【００６７】
利用者検知手段（検知手段）７０３は、上記の１つ以上の近距離無線通信手段を用いて取得した情報端末１０４の端末ＩＤを、予め登録されたバス１０８の利用者１０９の登録情報と照合する。登録情報には、例えば、利用者１０９の情報端末１０４の端末ＩＤに対応づけて、利用者１０９が利用するバス１０８や、停留所１０７等の乗り物の情報が記録されている。従って、利用者検知手段７０３は、情報端末１０４の端末ＩＤと、登録情報とを照合することにより、情報端末１０４が、バス１０８の利用者１０９の情報端末１０４であるか否かを判断することができる。尚、利用者検知手段７０３は、例えば、図２のＣＰＵ２１０で動作するプログラムによって実現される。
【００６８】
通知手段７０４は、利用者検知手段７０３によって検知されたバス１０８の利用者１０９の情報端末１０４に、例えば、利用者１０９のバス１０８への乗車可否や、バス１０８の出発までの時間等のバス１０８に関する情報を通知する。例えば、通知手段７０４は、バス１０８に関する情報を、通信手段７０１又は近距離無線通信手段７０２を用いて、利用者１０９の情報端末１０４に送信する。通知手段７０４は、例えば、図２のＣＰＵ２１０で動作するプログラムによって実現される。
【００６９】
機器間通信手段７０５は、第１の通信装置１０１と共に無線ＰＡＮエリア１１３を提供する１つ以上の第２の通信装置１０２とデータ通信を行うための手段であり、例えば、図２の機器間通信部２０５等によって実現される。また、別の一例として、機器間通信手段７０５は、近距離無線通信部２０６によって実現されるものであっても良い。
【００７０】
運行情報取得手段７０６は、バス１０８の運行情報を管理する管理サーバ１０５や、第３の通信装置１０３が搭載されたバス１０８等から、バス１０８の運行情報を取得する手段であり、例えば、図２のＣＰＵ２１０で動作するプログラムによって実現される。
【００７１】
例えば、運行情報取得手段７０６は、停留所１０７にバス１０８が停車した場合、近距離無線通信手段７０２を用いて、バス１０８に設けられた第３の通信装置１０３からバス１０８の運行情報を取得する。
【００７２】
或いは、運行情報取得手段７０６は、停留所１０７にバス１０８が停車した場合、近距離無線通信手段７０２を用いて、バス１０８に設けられた第３の通信装置１０３から識別情報を取得し、バス１０８を特定する。また、運行情報取得手段７０６は、特定したバス１０８の運行情報を、例えば、通信手段７０１を介して管理サーバ１０５から取得する。
【００７３】
登録情報取得手段７０７は、通信手段７０１を介して、管理サーバ１０５から、バス１０８の利用者の登録情報を取得する手段であり、例えば、図２のＣＰＵ２１０で動作するプログラムによって実現される。
【００７４】
記憶手段７０８は、例えば、登録情報取得手段７０７が取得した登録情報、利用者検知手段７０３が検知した利用者１０９の情報端末１０４の情報、運行情報取得手段７０６が取得したバス１０８の運行情報等の各種情報を記憶する。記憶手段７０８は、例えば、図２のＲＡＭ２０２、ストレージ部２０４等によって実現される。
【００７５】
変更手段７０９は、第１の通信装置１０１と、１つ以上の第２の通信装置１０２とで提供される無線ＰＡＮエリア１１３の範囲、又は通知手段７０４がバス１０８に関する情報を通知するエリア等を変更する手段である。変更手段７０９は、例えば、図２のＣＰＵ２１０で動作するプログラムによって実現される。
【００７６】
例えば、変更手段７０９は、図１において、無線ＰＡＮエリア１１３を提供する複数の第２の通信装置１０２−１〜１０２−５のうちの一部を停止させることにより無線ＰＡＮエリア１１３の範囲を変更するものであっても良い。或いは、変更手段７０９は、無線ＰＡＮエリア１１３の一部のエリアにある情報端末１０４へのバス１０８に関する情報の通知を制限するもの等であっても良い。
【００７７】
上記の構成により、第１の通信装置１０１は、無線ＰＡＮエリア１１３内で近距離無線通信を行う１つ以上の近距離無線通信手段を用いて、無線ＰＡＮエリア１１３内にあるバス１０８の利用者１０９の情報端末１０４を検知する。また、第１の通信装置１０１は、検知されたバス１０８の利用者１０９の情報端末１０４に、バス１０８に関する情報を通知する。
【００７８】
（第２の通信装置の機能構成）
第２の通信装置１０２は、近距離無線通信手段７１０、識別情報通知手段７１１、及び機器間通信手段７１２等を有する。
【００７９】
近距離無線通信手段７１０は、バス１０８の停留所１０７に対応する無線ＰＡＮエリア１１３内で、例えば、ＢＬＥ通信等の近距離無線通信を行うための手段である。近距離無線通信手段７１０は、例えば、図３の近距離無線通信部３０５等によって実現される。
【００８０】
識別情報通知手段７１１は、近距離無線通信手段７１０と近距離無線通信を行う情報端末１０４の端末ＩＤ（識別情報）を、機器間通信手段７１２を用いて、第１の通信装置に通知する。識別情報通知手段７１１は、例えば、図３のＣＰＵ３０１で動作するプログラムによって実現される。
【００８１】
機器間通信手段７１２は、第１の通信装置１０１とデータ通信を行うための手段であり、例えば、図３の機器間通信部３０４等によって実現される。また、別の一例として、機器間通信手段７１２は、近距離無線通信部３０５によって実現されるものであっても良い。
【００８２】
上記の構成により、第２の通信装置１０２は、第１の通信装置１０１と共に無線ＰＡＮエリア１１３を提供し、第２の通信装置１０２の通信範囲にある情報端末１０４から、情報端末１０４の端末ＩＤを取得する。また、第２の通信装置１０２は、取得した端末ＩＤを第１の通信装置１０１に通知する。
【００８３】
（第３の通信装置の機能構成）
第３の通信装置１０３は、近距離無線通信手段７１３、通信手段７１４、運行情報制御手段７１５、表示入力手段７１６、識別情報通知手段７１７等を有する。
【００８４】
近距離無線通信手段７１３は、例えば、バス１０８の車内等で、例えば、ＢＬＥ通信等の近距離無線通信を行うための手段である。近距離無線通信手段７１３は、例えば、図４の近距離無線通信部４０４等によって実現される。
【００８５】
通信手段７１４は、第３の通信装置１０３をネットワーク１０６に接続し、第１の通信装置１０１、情報端末１０４、管理サーバ１０５等とのデータ通信を行うための手段である。通信手段７１４は、例えば、図４の通信部４０５等によって実現される。
【００８６】
運行情報制御手段７１５は、例えば、表示入力手段７１６に、バス１０８の運行情報を表示させ、また、表示入力手段７１６を用いてバス１０８の運転手等にバス１０８の運行情報を入力させる。バス１０８の運行情報には、例えば、バス１０８の発車予定時刻、バス１０８の発車までの時間、バス１０８の乗車状態（満員、空席あり等）、道路の混雑状況等の情報が含まれる。また、バス１０８の運行情報は、バス１０８に乗車を希望する利用者１０９の情報や、利用者１０９のバス１０８への乗車可否等の情報を含んでいても良い。
【００８７】
また、運行情報制御手段７１５は、バス１０８の運行情報を、通信手段７１４を介して、管理サーバ１０５や、第１の通信装置１０１等に通知する制御も行う。或いは、運行情報制御手段７１５は、バス１０８の運行情報を、近距離無線通信手段７１３を用いて、第１の通信装置１０１に通知するものであっても良い。尚、運行情報制御手段７１５は、例えば、図４のＣＰＵ４０１で動作するプログラムによって実現される。
【００８８】
表示入力手段７１６は、運行情報制御手段７１５の制御により、バス１０８の運行情報を表示すると共に、バス１０８の運転手等による運行情報の入力を受け付ける手段であり、例えば、図４の表示入力部４０６等によって実現される。
【００８９】
識別情報通知手段７１７は、近距離無線通信手段７１３により、例えば、バス１０８の車内で提供される無線ＰＡＮエリアに接続した情報端末１０４の端末ＩＤを、運行情報制御手段７１５や、第１の通信装置１０１等に通知する。
【００９０】
上記の構成により、第３の通信装置１０３は、バス１０８の運行情報を表示し、バス１０８の運転手等によるバス１０８の運行情報の入力を受け付ける。また、第３の通信装置１０３は、バス１０８の運行情報を、管理サーバ１０５や、第１の通信装置１０１に通知する。これにより、第１の通信装置１０１は、バス１０８の運行情報を取得することができる。
【００９１】
さらに、第３の通信装置１０３は、例えば、バス１０８の車内で提供される無線ＰＡＮエリアに接続した情報端末１０４の端末ＩＤを、運行情報制御手段７１５や、第１の通信装置１０１等に通知する。第１の通信装置１０１は、例えば、バス１０８の車内で提供される無線ＰＡＮエリアに接続した情報端末１０４の利用者１０９を、バス１０８に乗車したと判断するものであっても良い。
【００９２】
（情報端末の機能構成）
情報端末１０４は、近距離無線通信手段７１８、受信情報通知手段７１９、表示入力手段７２０、登録制御手段７２１、及び通信手段７２２等を有する。
【００９３】
近距離無線通信手段７１８は、第１の通信装置１０１、第２の通信装置１０２、及び第３の通信装置１０３等と、ＢＬＥ等の近距離無線通信を行うための手段であり、例えば、図５の近距離無線通信部５０６等によって実現される。
【００９４】
受信情報通知手段７１９は、第１の通信装置１０１から通知されたバス１０８に関する情報を、近距離無線通信手段７１８又は通信手段７２２を介して受信し、受信した情報を情報端末１０４の利用者１０９に通知する。例えば、受信情報通知手段７１９は、受信したバス１０８に関する情報を表示入力手段７２０に表示させる。さらに、受信情報通知手段７１９は、バス１０８に関する情報を受信したことを、アラーム音や、振動等により利用者１０９に通知するものであっても良い。受信情報通知手段７１９は、例えば、図５のＣＰＵ５０１で動作するプログラム等によって実現される。
【００９５】
表示入力手段７２０は、受信情報通知手段７１９の制御に従ってバス１０８に関する情報を表示する。また、表示入力手段７２０は、登録制御手段７２１の制御に従って、利用者の登録情報の入力画面を表示し、利用者の入力装置を受け付ける。表示入力手段７２０は、例えば、図５の表示入力部５０７等によって実現される。
【００９６】
登録制御手段７２１は、利用者の登録情報の入力画面を表示入力手段７２０に表示させ、利用者によって入力された登録情報を、通信手段７２２を介して、管理サーバ１０５に送信する。
【００９７】
通信手段５２５は、無線ＬＡＮ、又はＬＴＥ等の公衆無線通信により、情報端末１０４をネットワーク１０６に接続し、第１の通信装置１０１、管理サーバ１０５等とデータ通信を行うための手段である。通信手段５２５は、例えば、図５の通信部５０５等によって実現される。
【００９８】
上記の構成により、情報端末１０４は、無線ＰＡＮエリア１１３に入ると、第１の通信装置１０１、又は第２の通信装置１０２と近距離無線通信を行い、第１の通信装置１０１から通知されるバス１０８の情報を表示入力手段７２０等に表示させる。また、情報端末１０４の利用者１０９は、情報端末１０４を用いて、利用者１０９の登録情報の入力、登録等を行うことができる。
【００９９】
尚、情報端末１０４が、スマートフォン、スマートウォッチ、タブレット端末等の汎用の情報機器である場合、上記の受信情報通知手段７１９、登録制御手段７２１等は、情報端末１０４にインストールされたアプリケーションプログラム等によって実現される。
【０１００】
（管理サーバの機能構成）
管理サーバ１０５は、通信手段７２３、登録情報管理手段７２４、運行情報管理手段７２５、及び記憶手段７２６等を有する。
【０１０１】
通信手段７２３は、管理サーバ１０５を有線／無線ＬＡＮ等により、ネットワーク１０６に接続し、第１の通信装置１０１、第３の通信装置１０３、及び情報端末１０４等とのデータ通信を行うための手段である。通信手段７２３は、例えば、図６の通信部６０８等によって実現される。
【０１０２】
登録情報管理手段７２４は、情報端末１０４を含む複数の情報端末から、通信手段７２３を介して、情報端末の利用者の登録情報を取得し、記憶手段７２６に記憶して、管理する。尚、登録情報管理手段７２４は、例えば、図６のＣＰＵ６０１で動作するプログラムによって実現される。
【０１０３】
運行情報管理手段７２５は、バス１０８を含む複数のバスから、通信手段７２３を介して受信した運行情報を、記憶手段７２６に記憶し、管理する。尚、運行情報管理手段７２５は、例えば、図６のＣＰＵ６０１で動作するプログラムによって実現される。
【０１０４】
記憶手段５１８は、例えば、複数のバスの運行情報や、複数のバスの利用者の登録情報等の各種情報を記憶する手段であり、例えば、図６のストレージ部６０４等によって実現される。
【０１０５】
＜処理の流れ＞
続いて、情報処理システム１００の具体的な処理の流れについて説明する。
【０１０６】
［第１の実施形態］
図８は、第１の実施形態に係る第１の通信装置の処理の流れを示すフローチャートである。
【０１０７】
ステップＳ８０１において、第１の通信装置１０１は、無線ＰＡＮエリア１１３内で、ＢＬＥ等の所定の近距離無線通信が可能な情報端末１０４を検知する。図１の例では、第１の通信装置１０１は、第１の通信装置１０１の近距離無線通信の通信範囲１１１、及び第２の通信装置１０２−１〜１０２−５の近距離無線通信の通信範囲１１２−１〜１１２−５にある情報端末１０４を検知する。
【０１０８】
例えば、図１において、第２の通信装置１０２−５と情報端末１０４とが近距離無線通信を開始すると、第２の通信装置１０２−５は、情報端末１０４の端末ＩＤを第１の通信装置１０１に通知する。従って、第１の通信装置１０１は、無線ＰＡＮエリア１１３内に情報端末１０４があることを容易に検知することができる。
【０１０９】
第１の通信装置１０１は、ステップＳ８０１において、無線ＰＡＮエリア１１３内で所定の近距離無線通信が可能な情報端末１０４を検知した場合、処理をステップＳ８０２に移行させる。一方、第１の通信装置１０１は、無線ＰＡＮエリア１１３内で所定の近距離無線通信が可能な情報端末１０４を検知できない場合、ステップＳ８０１の処理を繰り返す。
【０１１０】
ステップＳ８０２に移行すると、第１の通信装置１０１の利用者検知手段７０３は、検知された情報端末１０４の端末ＩＤ（識別情報）を登録情報と照合する。
【０１１１】
ステップＳ８０３において、第１の通信装置１０１の利用者検知手段７０３は、検知された情報端末１０４が、バス１０８の利用者１０９であるか否かを判断する。
【０１１２】
ここで、登録情報について説明する。
【０１１３】
図９は、第１の実施形態に係る登録情報の例を示す図である。図９の例では、登録情報９００は、端末ＩＤ９０１、通知先９０２、路線ＩＤ９０３、乗り場ＩＤ９０４、利用区分９０５、更新日９０６、追加情報９０７等の情報を含む。
【０１１４】
端末ＩＤ９０１は、情報端末１０４を識別するための情報であり、例えば、情報端末１０４の電話番号、ＩＭＥＩ（International Mobile Equipment Identity）、又は登録情報９００を登録する際に生成された識別情報等、情報端末１０４毎に固有の情報である。
【０１１５】
通知先９０２は、情報端末１０４にバス１０８に関する情報等を通知する際に用いる、例えば、情報端末１０４の電話番号や、メールアドレス等の情報である。
【０１１６】
路線ＩＤ９０３は、バスの系統番号等、バスの路線を特定するための情報である。乗り場ＩＤ９０４は、バスの乗り場（停留所等）を特定するための情報である。
【０１１７】
利用区分９０５は、バスの利用区分を示す情報である。図９の例では、「通勤」は、利用者が通勤や通学等でいつも利用しているバスであることを示しており、「一時利用」は、特定の日に一時的に利用するバスであることを示している。
【０１１８】
更新日９０６は、登録情報９００が最後に更新された日時等を示す。追加情報９０７は、付加的な情報であり、図９の例では、バスを一時利用する日の情報が記録されている。
【０１１９】
このように、登録情報９００には、１人以上の利用者の情報端末１０４の端末ＩＤ９０１（識別情報）と、上記の１人以上の利用者が利用する路線ＩＤ９０３及び乗り場ＩＤ９０４等の乗り物の情報とが対応づけて記録されている。
【０１２０】
利用者検知手段７０３は、この登録情報９００の、端末ＩＤ９０１、路線ＩＤ９０３、及び乗り場ＩＤ９０４等を参照し、情報端末１０４の利用者１０９が、バス１０８の利用者であるか否かを判断することができる。図９の例では、バス１０８の路線ＩＤ９０３が「△００１」であり、停留所１０７の乗り場ＩＤ９０４が「○○一丁目」である場合、端末ＩＤが「ＵＥ００００１」の情報端末１０４は、バス１０８の利用者１０９の情報端末であると判断することができる。
【０１２１】
図８に戻って、フローチャートの説明を続ける。
【０１２２】
ステップＳ８０３において、情報端末１０４がバス１０８の利用者１０９の情報端末１０４である場合、第１の通信装置１０１の通知手段７０４は、情報端末１０４にバス１０８に関する情報（所定の情報）を通知する（ステップＳ８０４）。一方、情報端末１０４がバス１０８の利用者１０９の情報端末１０４ではない場合、第１の通信装置１０１の通知手段７０４は、処理を終了させる。
【０１２３】
図１０は、第１の実施形態に係る情報端末に通知される情報の例を示す図である。第１の通信装置１０１の通知手段７０４が情報端末１０４に通知するバス１０８に関する情報は、例えば、情報端末１０４の利用者１０９がバス１０８に乗車できるかどうかを示す情報や、バス１０８が発車するまでの時間等の情報を含む。
【０１２４】
図１０（ａ）は、情報端末１０４の利用者１０９が、バス１０８に乗車できる場合に通知されるバス１０８に関する情報の一例である。図１０（ａ）において、情報端末１０４の表示入力手段７２０には、バス１０８に乗車できることを示す情報１００１が表示されている。好ましくは、バス１０８に関する情報は、バス１０８の路線、行き先、バスの発車までの時間等の情報１００２を含む。
【０１２５】
図８（ｂ）は、情報端末１０４の利用者１０９が、バス１０８に乗車できない場合の、バス１０８に関する情報の一例である。図１０（ｂ）において、情報端末１０４の表示入力手段７２０には、バス１０８に乗車できないことを示す情報１００３が表示されている。好ましくは、バス１０８に関する情報は、バス１０８の路線、行き先、運行状況等の情報１００４を含む。
【０１２６】
また、別の一例として、第１の通信装置１０１の通知手段７０４は、バス１０８に関する情報としてバス１０８が発車するまでの時間等を情報端末１０４に通知し、バス１０８に乗れるか否かの判断は情報端末１０４の利用者１０９に委ねるもの等であっても良い。
【０１２７】
尚、上記のバス１０８に乗車できることを示す情報１００１、バス１０８に乗車できないことを示す情報１００３、及びバスが発車するまでの時間等は、情報端末１０４の利用者１０９がバス１０８に乗車できるかどうかを示す情報の一例である。
【０１２８】
［第２の実施形態］
バス１０８の利用者１０９は、情報端末１０４を所持していても、登録情報を登録していない場合がある。第２の実施形態では、登録情報が登録されていない場合に対応する処理の例について説明する。
【０１２９】
図１１は、第２の実施形態に係る第１の通信装置の処理の流れを示すフローチャートである。
【０１３０】
ステップＳ１１０１において、第１の通信装置１０１は、無線ＰＡＮエリア１１３内で、ＢＬＥ等の所定の近距離無線通信が可能な情報端末１０４を検知する。第１の通信装置１０１は、ステップＳ１１０１において、無線ＰＡＮエリア１１３内で所定の近距離無線通信が可能な情報端末１０４を検知した場合、処理をステップＳ１１０２に移行させる。一方、第１の通信装置１０１は、無線ＰＡＮエリア１１３内で所定の近距離無線通信が可能な情報端末１０４を検知できない場合、ステップＳ１１０１の処理を繰り返す。
【０１３１】
ステップＳ１１０２に移行すると、第１の通信装置１０１の利用者検知手段７０３は、検知された情報端末１０４の端末ＩＤ（識別情報）を登録情報と照合する。
【０１３２】
ステップＳ１１０３において、第１の通信装置１０１の利用者検知手段７０３は、検知された情報端末１０４が、バス１０８の利用者１０９であるか否かを判断する。
【０１３３】
ステップＳ１１０３において、情報端末１０４がバス１０８の利用者１０９の情報端末１０４である場合、第１の通信装置１０１の通知手段７０４は、情報端末１０４にバス１０８に関する情報を通知する（ステップＳ１１０６）。一方、情報端末１０４がバス１０８の利用者１０９の情報端末１０４ではない場合、第１の通信装置１０１は、ステップＳ１１０４に処理を移行させる。
【０１３４】
ステップＳ１１０４に移行すると、第１の通信装置１０１の通知手段７０４は、情報端末１０４に、バス１０８の利用者であるか否かを確認するための通知を送信する。このとき、情報端末１０４に通知される情報の例を図１２に示す。
【０１３５】
図１２において、情報端末１０４の表示入力手段７２０には、利用者１０９が停留所１０７に停車中のバス１０８を利用するか否かを確認するメッセージ１２０１が表示されている。さらに、表示入力手段７２０は、利用者１０９がバス１０８を利用するか否かを回答するための「利用する」ボタン１２０２、「利用しない」ボタン１２０３が表示されている。利用者１０９は、このバス１０８を利用する場合「利用する」ボタン１２０２をタップし、このバス１０８を利用しない場合「利用しない」ボタン１２０３をタップする。これにより、利用者１０９がバス１０８を利用するか否かを示す情報が、情報端末１０４から第１の通信装置１０１に通知される。
【０１３６】
また、好適な一例として、情報端末１０４の表示入力手段７２０には、利用者１０９がこのバス１０８をいつも利用していることを示す「いつも利用している」ボタン１２０４等を合わせて表示させるものであっても良い。例えば、利用者１０９が、「いつも利用している」ボタン１２０４をタップすると、情報端末１０４は、利用者１０９がバス１０８を利用することを示す情報を第１の通信装置１０１に通知する。さらに、情報端末１０４の登録制御手段７２１は、このバス１０８を、利用者１０９がいつも利用するバスとして、例えば、自動的に登録情報に登録することができる。
【０１３７】
ここで、図１１に戻ってフローチャートの説明を続ける。
【０１３８】
ステップＳ１１０５において、情報端末１０４の利用者１０９がバスの利用者である旨の通知を受信した場合、第１の通信装置１０１は、例えば、図１０に示すバス１０８に関する情報を情報端末１０４に通知する。一方、情報端末１０４の利用者１０９がバスの利用者である旨の通知を受信しない場合、第１の通信装置１０１は、処理を終了させる。
【０１３９】
本実施形態によれば、バス１０８の利用者１０９は、登録情報が登録前であっても、無線ＰＡＮエリア１１３内において、バス１０８に関する情報の通知を受け取ることができるようになる。
【０１４０】
［第３の実施形態］
第３の実施形態では、利用者１０９の情報（利用者情報）に応じたバス１０８に関する情報を、利用者１０９の情報端末１０４に通知する場合の例について説明する。
【０１４１】
図１３は、第３の実施形態に係る情報処理システムの処理の例について説明するための図である。図１３において、第１の通信装置１０１の通信範囲１１１をエリアＡとし、第２の通信装置１０１−１の通信範囲１１２−１をエリアＢとする。
【０１４２】
エリアＢは、エリアＡに隣接しており、例えば、エリアＢにいる利用者１０９−３は、１分程度でバス１０８に到達できるものとする。一方、エリアＢにいる利用者１０９−４は移動速度が遅く、例えば、歩く速度が遅い旨の情報が利用者１０９−４の登録情報に登録されているものとする。移動速度が遅い利用者の例としては、例えば、例えば、高齢者や、幼児連れの保護者等が考えられる。
【０１４３】
このような場合、第１の通信装置１０１は、バス１０８の発車までの時間等の運行情報や、利用者１０９−３、及び１０９−４の登録情報等の利用者情報等に基づいて、各利用者１０９に通知する情報を変更することが望ましい。例えば、バスの発車までの時間が１分２０秒である場合、利用者１０９−３の情報端末１０４には、バス１０８に乗車可能であることを示す情報を通知し、利用者１０９−４の情報端末１０４には、例えば、次のバス１０８を勧める情報等を通知する。尚、歩く速度が遅い旨の登録情報は、利用者１０９の利用者情報の一例である。利用者１０９の利用者情報は、他にも様々な情報を用いることができる。
【０１４４】
図１４は、第３の実施形態に係る利用者情報の例を示す図である。第１の通信装置１０１は、無線ＰＡＮエリア１１３で検知されたバス１０８の利用者１０９の情報を、例えば、図１４の利用者情報１４００のようなテーブル情報として管理することができる。
【０１４５】
図１４の例では、利用者情報１４００は、路線ＩＤ１４０１、乗り場ＩＤ１４０２、発車までの時間１４０３、次のバスとの間隔１４０４、及び乗車状況１４０５等のバス１０８の運行情報を含む。さらに、利用者情報１４００は、端末ＩＤ１４０６、移動の有無１４０７、現在のエリア１４０８、及び移動速度情報１４０９等の利用者情報を含む。さらに、利用者情報１４００の通知要否１４１０は、例えば、利用者１０９にバス１０８に乗車可能であることを示す通知を行うか否かの判断結果を示している。
【０１４６】
利用者情報１４００に含まれる上記のバス１０８の運行情報は、第１の通信装置１０１の運行情報取得手段７０６が、例えば、バス１０８に設けられた第３の通信装置１０３や、管理サーバ１０５等から取得する。端末ＩＤ１４０６は、情報端末１０４が無線ＰＡＮエリア１１３に入ったときに、第１の通信装置１０１の近距離無線通信手段７０２や、第２の通信装置１０２等から通知される。このとき、端末ＩＤ１４０６の通知元の情報により、現在のエリア１４０８も特定することができる。
【０１４７】
利用者情報１４００に含まれる移動の有無１４０７の情報は、例えば、第１の通信装置１０１や、第２の通信装置１０２等が、情報端末１０４から受信する近距離無線通信の受信信号レベルの変化等によって判断することができる。
【０１４８】
例えば、図１３において、利用者１０９−１は、既にバス１０８に乗車しており、座席に座っているものとする。このとき、第１の通信装置１０１の近距離無線通信手段７０２が、利用者１０９−１の情報端末１０４−１から受信する受信信号のレベルは、ほぼ一定であると考えられる。
【０１４９】
また、利用者１０９−２は、例えば、バス１０８の座席が空いていないため、停留所１０７で次のバスを待っているものとする。このとき、第１の通信装置１０１の近距離無線通信手段７０２が、利用者１０９−２の情報端末１０４−２から受信する受信信号のレベルは、ほぼ一定であると考えられる。
【０１５０】
このように、情報端末１０４からの近距離無線通信の受信信号のレベルに変化がない場合、第１の通信装置１０１は、利用者１０９−１、１０９−２が移動していないと判断し、移動の有無１４０７の情報を「なし」とする。また、第１の通信装置１０１は、情報端末１０４−１、及び情報端末１０４−２に対する通知要否１４１０の情報を、例えば、「否」と判断することができる。
【０１５１】
一方、図１３において、利用者１０９−３は、バス１０８に乗車するために急いで停留所１０７に向かって歩いているものとする。このとき、第２の通信装置１０２の近距離無線通信手段７１０が、利用者１０９−３の情報端末１０４−３から受信する受信信号のレベルは急速に変化すると考えられる。また、利用者１０９−３の情報端末１０４−３が位置するエリアも、エリアＢからエリアＡに比較的短い時間で移動すると考えられる。この場合、第１の通信装置１０１は、利用者１０９−３が移動していると判断し、移動の有無１４０７の情報を「あり」とする。また、第１の通信装置１０１は、情報端末１０４−３に対する通知要否１４１０の情報を、例えば、「要」と判断することができる。
【０１５２】
さらに、図１３において、利用者１０９−４は、バス１０８に乗車したいという希望はあるが、移動速度が遅く、例えば、エリアＢからエリアＡに移動するために３分以上を要するものとする。このとき、第２の通信装置１０２の近距離無線通信手段７１０が、利用者１０９−４の情報端末１０４−４から受信する受信信号のレベルは緩やかに変化すると考えられる。また、また、利用者１０９−４の情報端末１０４−４が位置するエリアも、エリアＢからエリアＡに移動するために比較的長い時間を要すると考えられる。この場合、第１の通信装置１０１は、利用者１０９−４が移動していると判断し、移動の有無１４０７の情報を「あり」とする。一方で、第１の通信装置１０１は、利用者１０９−４の移動速度が遅く、発車までの時間１４０３の１分２０秒以内にバス１０８に到達できないと判断する。この場合、第１の通信装置１０１は、情報端末１０４−３に対する通知要否１４１０の情報を、例えば、「要」と判断することができる。
【０１５３】
利用者情報１４００の移動速度情報１４０９は、このように、例えば、近距離無線通信の受信信号レベル等に基づいて第１の通信装置１０１が判断した情報を用いても良いし、例えば、図９の登録情報９００の追加情報９０７等に予め登録されている情報を用いても良い。
【０１５４】
また、別の一例として、第１の通信装置１０１は、利用者情報１４００の乗車状況１４０５の情報に応じて、各利用者１０９の情報端末１０４に通知する情報を変更するものであっても良い。例えば、乗車状況１４０５の情報が「満員」である場合、図３の利用者１０９−３の情報端末１０４−３に対して、「満員」である旨の通知を行う、又は次のバスを勧める旨の通知を行う。
【０１５５】
また、第１の通信装置１０１は、利用者情報１４００の次のバスとの間隔１４０４の情報に応じて、通知要否１４１０の判断を変更するものであっても良い。例えば、次のバスまでの間隔１４０４が長い場合、発車までの時間１４０３を延長し、移動速度が遅い利用者１０９−４の情報端末１０４−４に対する通知要否１４１０の判断を「要」とするもの等であっても良い。
【０１５６】
さらに、第１の通信装置１０１は、バス１０８に乗車可能な利用者１０９の情報端末１０４に通知するバス１０８に関する情報に、バスの空き席数等の情報を付加して通知するものであっても良い。例えば、バス１０８に乗車可能である通知を受け、急いでバス１０８に乗っても、座席が空いていない可能性があるためである。
【０１５７】
以上、本実施形態によれば、利用者情報１４００に応じたバス１０８に関する情報を、利用者１０９の情報端末１０４に通知することができるようになる。
【０１５８】
［第４の実施形態］
第４の実施形態では、バス１０８に設けられた第３の通信装置１０３を活用した処理の例について説明する。
【０１５９】
図１５は、第４の実施形態に係る第１の通信装置の処理の流れを示すフローチャートである。尚、図１５のステップＳ１１０１〜Ｓ１１０５の処理は、図１１で説明した第２の実施形態の処理と同様なので、ここでは差分を中心に説明を行う。
【０１６０】
図１５のステップＳ１５０１において、第１の通信装置１０１の通知手段７０４は、情報端末１０４に、バス１０８に乗車を希望するか否かを確認するための情報を通知する。このとき、情報端末１０４に通知される情報の例を図１６に示す。
【０１６１】
図１６の例では、情報端末１０４の表示入力手段７２０には、利用者１０９がバス１０８に乗車できることを示す情報１６０１や、バスの運行情報を示すメッセージ１６０２等が表示されている。また、情報端末１０４の利用者１０９は、「乗車を希望する」ボタン１６０３をタップすることにより、バス１０８に乗車を希望することを情報処理システム１００に通知することができる。同様に、情報端末１０４の利用者１０９は、「乗車を希望しない」ボタン１６０４をタップすることにより、バス１０８に乗車を希望しないことを通知することができる。
【０１６２】
図１５に戻ってフローチャートの説明を続ける。
【０１６３】
ステップＳ１５０２において、第１の通信装置１０１は、情報端末１０４から、乗車を希望しない旨の情報を受信したか否かを判断する。情報端末１０４から乗車を希望しない旨の情報を受信した場合、第１の通信装置１０１は処理を終了させる。一方、情報端末１０４から乗車を希望しない旨の情報を受信した場合、第１の通信装置１０１はステップＳ１５０３に処理を移行させる。
【０１６４】
ステップＳ１５０３に移行すると、第１の通信装置１０１は、バス１０８に設けられた第３の通信装置１０３の近距離無線通信手段７１３が提供するバス１０８内の無線ＰＡＮに、情報端末１０４が接続したか否かを判断する。情報端末１０４がバス１０８内の無線ＰＡＮエリアに接続した場合、第１の通信装置１０１は、情報端末１０４の利用者１０９が、バス１０８に乗車したと判断し、処理を終了させる。一方、情報端末１０４がバス１０８内の無線ＰＡＮエリアに接続しない場合、第１の通信装置１０１は、処理をステップＳ１５０４に移行させる。
【０１６５】
本実施形態では、情報端末１０４がバス１０８内の無線ＰＡＮエリアに接続した場合、第３の通信装置１０３は、無線ＰＡＮに接続した情報端末１０４の端末ＩＤを自動的に第１の通信装置１０１に通知する。従って、第１の通信装置１０１は、情報端末１０４が、バス１０８内の無線ＰＡＮに接続したか否かを容易に判断することができる。
【０１６６】
また、別の一例として、第３の通信装置１０３は、情報端末１０４がバス１０８内の無線ＰＡＮに所定の時間を超えて接続した場合に、第１の通信装置１０１に情報端末１０４の端末ＩＤを通知するものであっても良い。これにより、例えば、情報端末１０４の利用者１０９が、バス１０８の前で立ち止まったときに、バス１０８が誤って発車してしまうこと等を低減させることができる。
【０１６７】
ステップＳ１５０４に移行すると、第１の通信装置１０１は、情報端末１０４に通知を送信してから、所定の時間（例えば、バスの発車までの時間）を経過したか否かを判断する。所定の時間を経過していない場合、第１の通信装置１０１は、ステップＳ１５０２に戻って、同様の処理を繰り返す。一方、所定の時間を超えた場合、第１の通信装置１０１は、例えば、情報端末１０４の利用者１０９が、バスの発車時刻に間に合わなかったと判断し、処理を終了させる。
【０１６８】
本実施形態によれば、情報処理システム１００は、バス１０８に設けられた第３の通信装置１０３を用いて、利用者１０９の情報端末１０４が、バス１０８に乗車したか否かを、簡易的に判断することができるようになる。
【０１６９】
［第５の実施形態］
第５の実施形態では、例えば、バス１０８の運行情報等に応じて、バス１０８の停留所１０７に対応する無線ＰＡＮエリア１１３のうち、バス１０８に関する情報を通知するエリアを変更する場合の例について説明する。
【０１７０】
図１７は、第５の実施形態に係る情報処理システムの構成例を示す図である。図１７において、情報処理システム１００は、第１の通信装置１０１−１と、複数の第２の通信装置１０２−１、１０２−３を用いて、停留所１０７に対応する無線ＰＡＮエリア１１３を形成しているものとする。
【０１７１】
図１７において、通信装置１０１−１は、屋外にある停留所１０７に設置されており、停留所１０７の周囲で無線ＰＡＮエリア１１３の一部を形成している。また、第２の通信装置１０２−１は、停留所１０７に隣接する建物１７０１の屋内の１階（１Ｆ）に設置されており、建物１７０１の１階で無線ＰＡＮエリア１１３の一部を形成している。同様に、第２の通信装置１０２−２は、建物１７０１の２階で無線ＰＡＮエリア１１３の一部を形成している。
【０１７２】
このような場合、第１の通信装置１０１は、例えば、バス１０８の運行情報等に応じて、バス１０８に関する情報を通知するエリアを変更することができる。
【０１７３】
例えば、建物１７０１の２階にいる利用者１０９−３は、建物１７０１の１階にいる利用者１０９−２や、屋外にいる利用者１０９−１よりも、停留所１０７に到達するまでに、より多くの時間を要すると考えられる。従って、例えば、バス１０８の発車まで十分に時間がある場合（例えば５分以上ある場合）、第１の通信装置１０１は、複数の情報端末１０４−１〜１０４−３に対して、バス１０８に関する情報の通知を行う。一方、例えば、バス１０８の発車まで十分に時間がない場合（例えば１分未満の場合）、第１の通信装置１０１は、建物１７０１の２階にいる利用者１０９−３の情報端末１０４−３には、バス１０８に関する情報の通知を行わない等の制御を行う。
【０１７４】
図１８は、第５の実施形態に係る通知エリアの変更例を示す図である。第１の通信装置１０１は、例えば、図１８に示すような通知の要否を示す情報１８０１を、記憶手段７０８に予め記憶しておく。また、第１の通信装置１０１の変更手段７０９は、例えば、バス１０８の発車までの時間と、図１８の通知の要否を示す情報１８０１に基づいて、バス１０８に関する情報を通知するエリアを変更する。
【０１７５】
図１７及び図１８の例では、バス１０８の発車までの時間が５分以上ある場合、第１の通信装置１０１は、情報端末１０４−１〜１０４−３に、バス１０８に関する情報を通知する。また、バス１０８の発車までの時間が、１分〜５分（１分以上、５分未満）の場合、第１の通信装置１０１は、情報端末１０４−３に対する通知を行わない。さらに、バス１０８の発車までの時間が３０秒〜１分の場合、第１の通信装置１０１は、情報端末１０４−２、１０４−３に対する通知を行わない。
【０１７６】
このように、本実施形態に係る情報処理システム１００は、例えば、バス１０８の発車までの時間等のバス１０８の運行情報に応じて、バス１０８に関する情報を通知するエリアを変更することができるようになる。
【０１７７】
尚、バス１０８の発車までの時間は、バスの運行情報の一例である。バスの運行情報は、例えば、バス１０８の混み具合等の情報であっても良い。
【０１７８】
［その他の実施形態］
図１７において、建物１７０１の中にいる利用者１０９には、停留所１０７の付近の状況が判らないため、第１の通信装置１０１は、停留所１０７の周囲に、バス１０８の利用者１０９が多い場合、その旨を利用者１０９の情報端末１０４に通知しても良い。この通知により、建物１７０１の中にいる利用者１０９は、早めに停留所１０７に並ぶことができる。
【０１７９】
このとき、第１の通信装置１０１は、例えば、図１４に示す利用者情報１４００等により、停留所１０７の側（エリアＡ）にいるバス１０８の利用者の数を算出することができる。
【０１８０】
＜まとめ＞
一実施形態に係る通信装置（１０１）は、乗り物（１０８）の乗り場（１０７）に対応する所定の範囲内（１１３）で近距離無線通信を行う１つ以上の近距離無線通信手段（７０２、１０２）を用いて、前記所定の範囲内にある前記乗り物の利用者（１０９）の情報端末（１０４）を検知する検知手段（７０３）を有する。また、通信装置（１０１）は、前記検知された前記乗り物（１０８）の利用者（１０９）の情報端末（１０４）に前記乗り物（１０８）に関する情報を通知する通知手段（７０４）を有する。
【０１８１】
上記の構成により、通信装置（１０１）は、利用者（１０９）の位置情報によらずに、乗り物（１０８）や、乗り場（１０７）の近くにいる乗り物の利用者を検知し、利用者に乗り物に関する情報を容易に通知することができるようになる。
【０１８２】
尚、上記括弧内の参照符号は、理解を容易にするために付したものであり、一例に過ぎず、本発明の範囲を限定するものではない。
【符号の説明】
【０１８３】
１００    情報処理システム
１０１    第１の通信装置
１０２    第２の通信装置（１つ以上の近距離無線通信手段の一例）
１０３    第３の通信装置
１０４    情報端末
１０５    管理サーバ
１０７    停留所（乗り場）
１０８    バス（乗り物）
１０９    利用者
１１３    無線ＰＡＮエリア（所定の範囲）
７０２    近距離無線通信手段（１つ以上の近距離無線通信手段の一例）
７０３    利用者検知手段（検知手段）
７０４    通知手段
７０６    運行情報取得手段
７０９    変更手段
【先行技術文献】
【特許文献】
【０１８４】
【特許文献１】特開２００５−２８４７３０号公報
【図１】
2016143222.tif 000003
【図２】
2016143222.tif 000004
【図３】
2016143222.tif 000005
【図４】
2016143222.tif 000006
【図５】
2016143222.tif 000007
【図６】
2016143222.tif 000008
【図７】
2016143222.tif 000009
【図８】
2016143222.tif 000010
【図９】
2016143222.tif 000011
【図１０】
2016143222.tif 000012
【図１１】
2016143222.tif 000013
【図１２】
2016143222.tif 000014
【図１３】
2016143222.tif 000015
【図１４】
2016143222.tif 000016
【図１５】
2016143222.tif 000017
【図１６】
2016143222.tif 000018
【図１７】
2016143222.tif 000019
【図１８】
2016143222.tif 000020